(57)【要約】カード用のホルダであって、ハウジングを有し、ハウジングは、カードの山の周りにきつくフィットし、そしてカードを収納しそして排出するためのカード開口部を有する。ハウジングの中に、フィンガーボタン操作型エジェクタアームを備え、それによりカードはカード開口部を通ってハウジングから部分的にスライドされることができる。エジェクタアームは、その回転ポイントから更に離れた遠位部分がカードの山に対して初期の距離にあり、一方その回転ポイントに近い近位部分がカードの山に係合し、そしてエジェクタアームの伸長位置への更なる回転により、この距離の消滅に起因して、遠位部分がカードの山に係合を始める、ように設計される。【選択図】図１０
2019519278.tif 000002
【特許請求の範囲】
【請求項１】
カード用のホルダであって、ハウジング（１）を有し、前記ハウジング（１）は、好適には少なくとも３枚のカードの山（２）の周りにきつくフィットし、そしてカードを収納しそして排出するための少なくとも１つのカード開口部（３）を有し、一方前記ハウジングの中の、好適には前記カード開口部（３）の反対側に、カード排出フィーチャを備え、それにより前記カードは前記カード開口部（３）を通って前記ハウジングから部分的にスライドされることができ、前記カード排出フィーチャはエジェクタアームを有し、前記エジェクタアームは、好適には前記ハウジング内を引込位置と伸長位置の間で回転し、そして前記移動の間に、前記カードに係合しそして前記カードが部分的に前記ハウジングから出るように強制することにより、前記カードを同時に排出するように設計され、そして前記ホルダは、前記カード排出フィーチャにより前記カードを排出するための力を提供するための外部駆動フィーチャ、例えばフィンガーボタン、を有し、前記駆動フィーチャは結合手段を介して前記エジェクタアームに駆動的に接続されている、ことを特徴とするカード用ホルダ。
【請求項２】
前記エジェクタアームは、当該エジェクタアームの回転ポイントから更に離れた当該エジェクタアームの遠位部分が前記カードの山に対して初期の距離にあり、一方当該エジェクタアームの回転ポイントに近い当該エジェクタアームの近位部分が前記カードの山に係合し、そして伸長位置への前記エジェクタアームの更なる回転により、この距離の消滅に起因して、前記遠位部分が前記カードの山に係合を始める、ように設計されることを特徴とする請求項１に記載のホルダ。
【請求項３】
前記エジェクタアームは当該エジェクタアームの長さに沿って離間し、それぞれ異なる初期の距離を維持する幾つかの遠位部分を有し、前記初期の距離は、前記エジェクタアームの長手方向自由端により近い遠位部分に対してより大きい、ことを特徴とする請求項１または２に記載のホルダ。
【請求項４】
前記初期の距離は少なくとも０．２５または０．５ミリメートルである、ことを特徴とする請求項２または３に記載のホルダ。
【請求項５】
前方端部（６）は後方端部（７）に向かって、好適には円形の形状に従って先細る、ことを特徴とする請求項１−４のいずれかに記載のホルダ。
【請求項６】
カードの山の排出を開始する時点で、カードは前記エジェクタアームの共有カード接触面（１９）により押されそして係合され、そして前記エジェクタアーム（１６）のいくらかの移動の後、おそらく前記カードが関連する専用カード接触面（１９）により１つずつ次々に係合されそして押される、前記エジェクタアームの移動の中間期間の後、前記カード（２）は関連する専用カード接触面（１９）によりさらに外側に押し出される、ように前記エジェクタアーム（１６）は設計される、ことを特徴とする請求項１−５のいずれかに記載のホルダ。
【請求項７】
前記ハウジングの内側に摩擦要素が配置され、前記摩擦要素は前記ハウジング内の個々のカードの側方端部に摩擦力を印加し、前記摩擦要素は、前記カードの山の中の全てのカードに同時に係合するために十分な幅／寸法であり、および／または剛性でない、ことを特徴とする請求項１−６のいずれかに記載のホルダ。
【請求項８】
以下のフィーチャの１つまたはそれ以上を有することを特徴とする請求項１−７のいずれかに記載のホルダ：
−前記カード排出フィーチャは階段要素（１９）を有し、前記階段要素は、ユーザにより、前記ハウジング内に存在するカードの山に向かって前記ハウジングに対して移動させられることができ、その結果このカードの山は階段状の形態で部分的に前記ハウジングの外に移動する；
−カード収容空間はスリーブ状またはシャフト様である；
−前記カード収容空間は、前記カードの頂部面に平行なカード開口部を通って前記カードが当該空間からスライドしなければならないように設計される；
−前記カード収容空間の中に少なくとも３枚の直角形状のカードの山が配置され、カードは相互に整列し、実質的に同一の寸法を有し、それぞれ第１の側面と反対側の第２の側面を有し、そして前記カード開口部の外にスライドして出る方向に、それぞれのカードの摩擦要素に面する側面と保持係合する摩擦要素を有し、そして前記カードは横からプリロードされ、それによりそれぞれのカードの第２の側面は前記収容空間の側面に押圧され、そして当該側面によって保持され、一方１枚のカードの第１の側面と第２の側面間の距離はカードの山の中の異なるカードの第１の側面と第２の側面間の距離とは異なる；
−リセット手段、例えば、ばね、が前記エジェクタアームを引込位置に向かって付勢する。
【請求項９】
ピボットから前記エジェクタアームに沿って長手方向に見て、前記エジェクタアームの第１の位置を越えた部分は、前記カード接触面（１９）を備える前記エジェクタアームの長さの少なくとも５０％の長さを有する、ことを特徴とする請求項１−８のいずれかに記載のホルダ。
【請求項１０】
前記第１の位置が、前記ピボットから測定して前記エジェクタアームの長さの少なくとも２５％の位置に提供される、ことを特徴とする請求項１−９のいずれかに記載のホルダ。
【請求項１０】
前記位置は少なくとも１５０ミリメートルの単一の半径の曲線、即ち円の上に提供され、前記曲線は前記エジェクタアームの前記前方端部の一部により提供され、前記前方端部は、前記カードの山に係合しそして外に押し出し、前記エジェクタアームの長手方向に伸長し、そして前記ピボットから長手方向に見て前記エジェクタアームの前記後方端部に向かって接近する、ことを特徴とする請求項１−１０のいずれかに記載のホルダ。
【請求項１１】
前記引込位置から前記伸長位置への前記エジェクタアームの枢動の方向で見て、それぞれの次の位置または一群の位置または全ての位置は少なくとも０．０５または０．０７５ミリメートルだけ次の位置に対してセットバックしている、ことを特徴とする請求項１−１０のいずれかに記載のホルダ。
【請求項１２】
前記自由端の先端部（５）における前記位置（１９）は、前記ピボット（１７）に最も近接した前記位置（１９）に対して約０．９ミリメートルだけセットバックしている、ことを特徴とする請求項１−１１のいずれかに記載のホルダ。
【請求項１３】
前記エジェクタアームは、完全な引込位置からスタートし、そして完全な伸長位置に向かって移動し、最初に前記ピボット（１７）に最も近接した前記位置（１９）だけが前記カードの山の前記カードに係合し、そして前記完全な伸長位置に向かった連続移動の間、前記ピボットからさらに離れ、前記エジェクタアームの長さに沿って互いに離間した、他の位置（１９）が、前記エジェクタアームの長手方向自由端部（５）の方向で次々に前記カードの山の１枚のカードと係合し、それにより最終的に、前記エジェクタアームが５度と２０度の間枢動するとすぐに、前記ピボット（１７）から最も遠い前記位置（１９）が前記カードの山の１枚のカードと係合する、ように設計されることを特徴とする請求項１−１２のいずれかに記載のホルダ。
【発明の詳細な説明】
【技術分野】
【０００１】
本発明は、カード、例えばクレジットカードまたは銀行カード、または別の平らな又は平面のような物体、をそのホルダから排出または分配するための装置（以後「エジェクタ」とも呼ばれる）を備えたカードホルダに関する。カード（単数または複数）はホルダ内にしっかりとフィットし、そのためホルダは、カードまたはカードの山の形状に類似し、それよりもわずかに大きい空洞を有する。排出されたカードは、好ましくは、互い違いの山として提示される。
【背景技術】
【０００２】
いわゆるクレジットカード形式では、主な寸法がＩＳＯ７８１０に準拠し、厚さおよび丸みはＩＳＯ７８１３に準拠する。この形式は、銀行カード、運転免許証、ＩＤカード、会員カード、入場券、割引カード、貯蓄カードなど、多様な用途のカードに適用されている。
【０００３】
カードは、好ましくは、中実の、折り畳み可能ではない形状及び、滑らかで滑りやすい低摩擦表面を有する。ホルダは、好ましくは、剛性の平坦な箱またはスリーブ形状を有する。
【０００４】
先行技術は、ＥＰ−Ａ０２８７５３２（特許文献１）、ＣＨ７０２９１９Ｂ１（特許文献２）、ＷＯ２０１０１３７９７５（ＶＩＬＴ；特許文献３）およびＷＯ２０１４０９８５８０（ＦＬＥＸＡＲＭ；特許文献４）において、カードの長さ方向に沿った階段またはレリーフ形状を備える枢動エジェクタアームを開示し、各カードがエジェクタアームの異なる縁部と係合し、カードが同時に排出されて互い違いに積み重ねられたカードの山を提示し、その山はカードホルダから部分的に突出する。異なるカードホルダは、米国特許出願公開第２００２／０７４２４６号（特許文献５）、米国特許第４８８７７３９号（特許文献６）、米国特許第５７１８３２９号（特許文献７）、および日本国実用新案公開Ｓ６０−１７９４８４Ｕ（特許文献８）に開示されている。
【０００５】
上述の先行技術は、本発明の背景知識を提供するものである。この先行技術の開示は、参照により本明細書に取り入れられる。
【先行技術文献】
【特許文献】
【０００６】
【特許文献１】欧州特許出願公開ＥＰ−Ａ０２８７５３２
【特許文献２】スイス特許ＣＨ７０２９１９  Ｂ１
【特許文献３】国際特許出願公開ＷＯ２０１０１３７９７５
【特許文献４】国際特許出願公開ＷＯ２０１４０９８５８０
【特許文献５】米国特許出願公開第２００２／０７４２４６号
【特許文献６】米国特許第４８８７７３９号
【特許文献７】米国特許第５７１８３２９号
【特許文献８】日本国実用新案公開Ｓ６０−１７９４８４Ｕ
【発明の概要】
【０００７】
本発明の目的は広範囲に亘る。一態様では、目的は、カードホルダ、特にホルダからカードの山を排出するためのフィーチャのさらなる改良である。一例として、目的は、カードが排出されている間の、エジェクタボタンのよりエレガントな指または親指操作である。さらなる可能な態様は、長寿命のホルダの快適で簡単で正確な動作である。さらに別の態様では、この目的はエラーのないハンドリング、低い製造コスト、魅力的な外観である。
【０００８】
したがって、本発明は、請求項に記載のカードホルダおよびカードホルダのエジェクタアームに関する。他の態様は、明細書、図面または請求項から学ぶことができる。２つ以上の態様を組み合わせることができる。
【０００９】
発明者は、本発明の効果の１つとして、エジェクタボタンを操作する指または親指がカードの山を排出するために必要な労力が、実質的により少ないことを発見した。これは、ラボの実験において驚くべきことに発見され、ここで実験的エジェクタアームのうちの１つが、カードの排出中に予想外に低い手動負荷を必要とした。引き続いての徹底的な調査は、おそらく研究所の射出成形機の一時的な誤動作に起因する、エジェクタアームの独特の自然発生的な永久変形を指摘した。この教示はさらに詳しく調査され、本発明の基礎を提供した。
【００１０】
以下の説明に拘束されるものではないが、本発明の考えられる効果は以下の通りである。従来技術では、エジェクタアームは、実質的に長さ部分、例えば、互い違いのカードの山、カードの山全体を排出するための全ての階段を備えた完全な長さ部分、に係合する。したがって、カードは長いレバーアームによって外側に付勢される。本発明では、最初に、エジェクタアームは、実質的により小さい長さ部分、例えば１つまたは２つ、または少数の階段を備える、ピボットに最も近い長さ部分で、カードの全体、またはカードの山の一部のみに係合する。従って、最初は、レバーアームは短く、それが、かなり高い静止摩擦を克服する必要があるものの、カードの外向きの動きを開始するのに必要な労力を低く維持する。カードが動くとすぐに、静的摩擦よりも大幅に低い動摩擦が克服されればよく、エジェクタボタンの指または親指操作の間に経験される人間工学に悪影響を与えることなく、レバーアームは長くなることができる（ピボットからさらに離れた階段がカードに係合するので）。最もエレガントな操作は、エジェクタアームを伸長位置に向けて枢動させる間に、階段がカードに１つずつ次々と係合を始める場合に得られ、ここで好ましくはそれぞれの後続の階段はより長いレバーアームに位置する。
【００１１】
好ましい実施形態では、カードホルダは、エジェクタアームを備え、そのエジェクタアームは、以下のように設計される：エジェクタアームをその伸長位置に移動させることによってカードを排出する際に、最初にエジェクタアームが、そのピボットに近いエジェクタアームの第１の長手方向位置でカードの山に係合し、カードの山を外側に押し出し、一方それと同時に、ピボットから見て前記第１の位置を越えたエジェクタアームの長手方向部分は、カードの山に係合せずおよび／またはカードの山を押し出さない；その後、エジェクタアームがカードの山を外側に押しながらある角度または距離をカバーした後、エジェクタアームは、好ましくはそのピボットからさらに離れたエジェクタアームの第２の長手方向位置で、好ましくは第１の位置から長手方向に離間した位置で、カードの山に係合し、カードの山を外側に押し出し始め、一方エジェクタアームは伸長位置に向かって枢動を続ける。好ましくは、エジェクタアームは、以下のように設計される：複数、例えば少なくとも４つまたは５つまたは６つの、好ましくは相互に長手方向に間隔を置いて配置される、エジェクトアームの長さに沿った、このような位置が存在し、例えば、互い違いのガードの山を同時に排出するために必要な、山の個々のカードと係合するための接触面の数と同じ数だけの位置が存在し、この位置は、エジェクタアームがその伸張位置に向かって枢動し、そしてカードを外側に押し出す間に、それらの位置がカードを次々と押し始めるように提供される。好ましくは、カードの山を既に押している１つまたは全ての場所は、次の場所がカードの山を押すのを開始するときに、カードの山を押し続ける；および／または次の各位置は、エジェクタアームのピボット点からさらに離れている。好ましくは、これらの位置は接触面の位置によって提供される。
【００１２】
一実施形態では、第１の位置は完全なカードの山に係合し、次の各位置はカードの山のより小さな部分と係合し、それにより好ましくは、ピボットから最も遠い位置はカードの山からの単一のカードだけに係合する。あるいは、好ましくは、エジェクタアームは、すべての位置がカードの山に係合してカードの山を押し出す時点から、各位置が山からの単一のカードに係合し、それによりカードの山が互い違いになるかまたは互い違いのままである、ように設計される。
【００１３】
好ましくは、ピボットから長手方向に見て、エジェクタアームの第１の位置を越えた部分は、接触面が設けられたアームの長さと長さが等しいか、接触面が設けられたアームの長さの少なくとも５０％または７５％の長さを有する。好ましくは、第１の位置は、ピボットから測定して、エジェクタアームの長さの少なくとも２５％または３０％または４０％および／または最大６０％または７５％の長さの位置に提供される。
【００１４】
好適には、これらの位置は、好ましくは単一の半径の曲線上、例えば好ましくは少なくとも１００または１５０または２００ミリメートルの円上に設けられる。あるいは、位置は直線状または階段状の線の上に提供される。この線は、カードの山と係合して外に押し出す端部である、エジェクタアームの前方端部の一部によって提供される。この線は、以下の１つまたはそれ以上である：仮想線；エジェクタアームの長手方向に延在する；ピボットから長手方向に見てエジェクタアームの後方端部に向かって近づく。
【００１５】
好ましくは、引込位置から伸長位置へのアームの枢動方向から見て、それぞれの次の位置または一群の位置またはすべての位置は、隣接する位置に対して少なくとも０．０５または０．０７５ミリメートルだけセットバックされる；例えば、エジェクタアームの枢動中にカードに係合してカードを押し始める最後の（例えば、自由端の先端の）位置は、カードに係合してカードを押し始める第１の（例えば、ピボットに最も近い）位置に対して、少なくとも０．５または０．７５ミリメートル、例えば約０．９ミリメートルセットバックされる。
【００１６】
カード排出のこの開始プロセスは、好ましくは、エジェクタアームのその引込状態から完全な伸張状態への移動または枢動ストロークの、および／またはカードの山の完全に内側の位置からエジェクタアームにより最大限に排出された位置までのカードの山の外向き移動ストロークの、マイナーな部分、例えば最初の２５％、好ましくは１５％または１０％以内で完了する。一例として、それは、例えば、枢動の最初の１０度または２０度以内で完了し、および／またはカードがホルダの外側に５ミリメートルまたは１０ミリメートルまたは１５ミリメートル未満突出する前に完了する。好ましくは、完了は上記ストロークの少なくとも５％、例えば少なくとも５度の枢動および／または少なくとも５ミリメートルの突出を必要とする。
【００１７】
好ましくは、ホルダには以下の１つ以上が適用される：好適には細長い長方形；固定形状、頑丈で、軽量材料、例えば金属またはポリマー材料、ポリエステル、ＰＰから作られる；ボックスまたはスリーブの形状；カード収納スペースは、しっかりとフィットしてカードの山を受け取る；固定の長さ、幅および深さ；好ましくは、カードが格納されている収容空間へのカードアクセス開口と反対側の、カードホルダの長手方向端部にあるカード排出機構。
【００１８】
好ましくは、本発明は、カードの完全な山を分配するエジェクタ機構を備えたカードホルダに関する。従って、山の全てのカードが同時に分配され、それは例えば、エジェクタ機構がカードの排出時にカードの完全な山に係合することに起因する。好ましくはカードは、互い違いのカードの山が部分的にカードホルダから突出しているように、ハウジングから付勢される。これは、好ましくは、エジェクタ装置の設計によって提供される。より好ましくは、カードホルダまたはエジェクタ装置の設計は、カードの山がカードホルダ内に完全に収容されているとき、カードは相互に整列し（換言すれば、カードは互い違いではなく）、そして好ましくは、カードは互い違いの態様で提示されて、カードホルダから部分的に突出する。カードを互い違いに提示することにより、カードは容易に個別に識別され、そしてユーザの手の２本の指で山から個別に取り出されうる。カードホルダは、好ましくは、通常の日々の使用中にカードホルダが露出される、標準的な負荷に対して剛性である。
【００１９】
特に、カードホルダは、クレジットカード（およびクレジットカードと類似の寸法の、異なる物品、以後「カード」と呼ばれる）を収容しそして分配するように設計されている。ここで少なくとも３、４または５枚のカードがホルダ内に収容可能であり、より好ましくは、カードの山の内のカードが、直接相互に重ね合わされまたは隣接し、言い換えれば、隣接するカードの間にさらなる物体、例えばスペーサが存在せず、または存在する必要が無い。ホルダは、好ましくは、実質的にまたは完全に閉鎖され、そして固定された２対の対向する側面を有し、１対は長さと幅がカードの寸法と同じ（「主側面」とも呼ばれる）であり、そしてこの対は他の１対の側面（「副側面」とも呼ばれる）により隔てられ（カードの山の厚みの範囲を定める）、それによりカードの山がこれらの４つの側面の間にしっかりとフィットする。好ましくは、これらの側面は薄肉であり、および／または硬質のスリーブ状容器を提供する。残りの１対の対向する側面（典型的にはスリーブの長手方向端部に位置する）のうち、好ましくは一方（「底部」とも呼ばれる）は実質的にまたは完全に閉じられ、そして他方（「頂部」とも称される）は開いているが、しかし一時的に例えば蓋により閉鎖可能であり、それによりホルダは、好ましくはカードがホルダを出入り可能なただ１つの開口側面を有する。したがって、ホルダは、閉鎖底部を有する剛性スリーブを提供する。典型的には、カードはその主側面に平行に移動することによってホルダを出入りする。
【００２０】
カードが知らず知らずのうちにカードホルダから抜け出ることを防止するために、装置は、好ましくは、カード保持手段、例えばアクセス開口に関連してそれを開閉する脱着可能な（好ましくは枢動する）蓋、または例えばカードの主側面（カード面を規定する側面）または副側面（カード厚みを規定する側面、すなわち薄い側面）に係合するように設計されたクランプ手段または摩擦手段を備える。例えば、国際特許出願公開第２０１０１３７９７５号（特許文献３）は、摩擦手段によってカードをハウジング内に解放可能に保持することを記載しており、その関連する開示は、参照により本明細書に組み込まれる。頂部側面を蓋で閉じずにカードをホルダ内に保持するための保持手段が好ましい。
【００２１】
カードエジェクタは、ホルダ内の第１および第２の（好ましくは引込位置と伸長）位置の間で移動し、カードの山に係合し、好ましくはカードの端部に係合し、カードの山をホルダから押し出すためのエジェクタ要素（以後「アーム」とも呼ばれる）を有し、一方カードは、カードが主側面に平行な平面内で移動し、それにより好ましくは（エジェクタ要素が伸長位置にあるときに）カードが階段状または互い違いにホルダから部分的に突出する。カードを階段状に提示または分配する目的のために、好ましくは、エジェクタアームは、カードの厚さとある程度の関係を有するレリーフプロファイルを備え、それによりエジェクタ要素が複数の離間したフィーチャを有し、それは好適には直線に沿って、例えばエジェクタアームの長さ方向に沿って位置し、それぞれのこのようなフィーチャはカードの山のうちの単一のカードに係合するように設計され、それにより、好ましくは、ホルダ内のエジェクタ要素の移動により、その１つのカードがエジェクタ要素と共に、さらなる距離だけ、ホルダ内の他のカードと比較して外側に移動する。一実施形態では、このようなフィーチャは、エジェクタアームにおける突起であり、そのそれぞれは係合端部（「面」または「接触面」とも呼ばれる）を提供する。ここで好ましくは、突起は、エジェクタ要素から異なる距離だけ突出し、それにより各係合面は異なる高さレベルに存在する。好ましくは、エジェクタアームは、その引込位置で、カードがホルダ内にフィットし、それによりカードが相互に整列し、言い換えれば、きちんとした山を呈するように設計される。
【００２２】
好ましくは、エジェクタアームの高さ（ハウジングの主側面に垂直でハウジング内に入れられたカードまたはカードの山の厚さ方向に平行な寸法を意味する）は、自由端（言い換えれば遠位端または枢動点から遠位の端部、または駆動手段が係合または取り付けられる端部の反対側の端部）から長手方向に増加する。この高さの階段状の増加は、カードの山を互い違いに排出するための階段形状のフィーチャまたは接触面を提供する。
【００２３】
階段の段数は、好ましくは、山の内のカードの数に少なくとも等しい、および／または少なくとも４または５または６または７である。階段は、好ましくは、ほぼ等しい長手方向間隔および／または高さを有する。
【００２４】
この伸長位置では、好ましくは、エジェクタアームはホルダ内で斜めに延びているか、または、その引込位置と比較して、２０度と９０度の間の角度（９０度は直角に等しい）、好ましくは少なくとも４５度または５５度または６０度および／または８５度未満の角度、を形成する。その引込位置では、エジェクタアームは、好ましくはホルダの外部側面（「底部」とも呼ばれる）または端部、好ましくはホルダ内からカードが分配される側面と反対側にある側面に平行に延在する。好ましくは、エジェクタアームは、その第１の位置と第２の位置との間で回転または旋回または方向転換または枢動することが好ましく、そのためエジェクタアームはピンまたは穴などのヒンジまたは枢動フィーチャを備え、それによりエジェクタアームはカードホルダに取り付けられ、そのためにカードホルダはピンまたは穴をそれぞれ備えることができる。代替として、並進運動が可能である。
【００２５】
エジェクタアームの動きを提供するために、カードエジェクタは、エジェクタアームに関連する駆動手段を備える。しかし、これはモータ駆動手段であり得るが、手動で駆動される駆動手段、例えば、指で操作されるボタンが好ましく、ハウジングの外側に突出または配置されることが好ましい。好ましくは、エジェクタアームおよび駆動手段は剛性の態様で結合され、それにより駆動手段の動きがエジェクタアームに直接伝達され、そしてこれらの部材は両方とも一体として動く。なぜならば、例えばこれら両方の部材が単一の、好ましくは剛性の部品に統合されているからである。エジェクタアームおよび／または駆動手段は、例えばポリマーまたはプラスチックまたは同等の材料からなる射出成形部品であってもよい。
【００２６】
好ましくは、エジェクタアームは、カードホルダのベースまたは底部またはその一部を提供するか、またはその一部であり、それはカードホルダの関連する側面からのカードの脱落を防止する。
【００２７】
カードエジェクタフィーチャは、ユーザに対しカードの山をハウジングから部分的にスライドさせる機会を与える。これは、ユーザがカードを選択しそれをハウジングから取り出すことが可能になるより前の好ましい動作である。
【００２８】
エジェクタアームがその伸長位置にある時までには、カードは、互い違いまたは階段状の山としてハウジングから部分的にスライドされ、それにより各カードがハウジングから外に突出した、カードの上部主側面が露出した細いストリップを提示し、そしてユーザは、このストリップを眺めることによってどのカードがホルダ内に存在するのかを瞬時に見分けることができる。また、ユーザは、カードの山の中から所望のカードを容易かつ迅速に選択し、そしてカードが完全器ハウジング内の収容位置からスライドされる方向と同じ方向または反対の方向にカードを相互に手動でスライドさせることによって、そのカードを取り出すことができる。
【００２９】
本発明のカードエジェクタフィーチャの実施形態は、とりわけ、階段状の要素を有し、階段状の要素はユーザにより、ハウジングに対して相対的に、例えば、回転または平行移動の手段によってカードの山に当接して移動可能であり、ここで階段状要素の個々の階段は、カードの山の個々のカードにおいて、カード開口部の方向に力を印加し、その結果カードの山は階段状に外側にスライドする。階段は、アームの高さおよびカードの厚さに平行に測定された高さと、高さに垂直に測定され、ハウジングから階段状にスライドする場合にカードが互いにスライドする程度を画定する、間隔を有する。階段状要素のさらに好ましい詳細は、上に引用したＷＯ２０１０１３７９７５（ＶＩＬＴ；特許文献３）およびＷＯ２０１４０９８５８０（ＦＬＥＸＡＲＭ；特許文献４）によって提供されており、その内容は本明細書に参照として挿入されている。
【００３０】
本発明のカードホルダのカード取り出しフィーチャとしてのカードエジェクタまたはその一部、例えばアーム、の実施形態は、リセット手段、例えば、ばねを備えまたはばねに関連し、例えば結合され、それはエジェクタまたは関連部品が動作後に常に即座かつ自動的に初期位置に戻る、例えば伸長位置から引込位置に移動するという効果を有する。このようなリセット手段による戻りは、ユーザが部分的に露出されたカードから選択を行う間に、障害なくカードをハウジング内にスライドして戻すことができるという利点を提供する。
【００３１】
本発明のカードホルダの一実施形態は、ガルバニック材料で作られたハウジングを有する。本発明のハウジングの幾何学的形状は、適切なファラデーケージが作られる金属押出しによって製造するのに適している。
【図面の簡単な説明】
【００３２】
本発明を、本発明の好ましい実施形態を示す図面を用いてさらに説明する。図面は次のとおり：
【図１−２】カードホルダの斜視図である。
【図３−４】図３は図１のカードホルダの断面図である。図４は、互い違いのカードの山に係合する、枢動されるエジェクタアームの斜視図である。
【図５】図１のカードホルダの終端からの図である。
【図６−７】動作の異なるステージにおけるエジェクタアームの斜視図である。
【図８−１０】図８は本発明のエジェクタアームの上面図である。図９は図８の詳細図である。図１０は、図９をより良く理解するための図である。図１−５は技術的背景を示す図である。
【発明を実施するための形態】
【００３３】
図１−３は、図示された少なくとも３枚のカードの山（４枚が図示されている）の周りにしっかりとフィットするカードホルダのハウジングの斜視図を示し、ハウジングの２つの長手方向の端部の１つはカードカードを受け入れ、取り出すために開けられているので、カード開口部と呼ばれる。カードの山の周りにきつくフィットすることは、直角のレンガ状物体に基づく主形状を意味するが、もちろん、それは設計または人間工学の理由から、例えば、面取り、丸み付け、リブなどを設けることによって異なってもよい。
【００３４】
図１は、カードホルダ１と、４枚のカードの相互に整列した山２を示しており、その山はカード開口部３を介してカードホルダに装填される準備が整っている。カードホルダ内に完全に位置する場合、各カードの下側は、エジェクタアームの最初の（引込）位置にある関連する係合面または接触面と整列する。エジェクタアームをこの位置から開始し、第２の位置に動かす（枢動させる）と、カードは、その関連する係合面によってカードの山が部分的に排出されるように強制される。各係合面は、エジェクタアームの枢動点まで異なる距離を有するので、各カードは、異なる距離だけ移動し、それにより互い違いの排出された山２が得られ（図２に示す、エジェクタアーム（不図示）はその第２の、伸長位置にある）、各カードは図示されているように、主側面の露出した狭いストリップを提示する。
【００３５】
図３は、カードホルダの断面図（カードなしの）を示し、それは階段状要素１６によって提供される（第１の（引込）位置にある）カードエジェクタフィーチャを備え、それは、使用者がハウジングの外側の駆動装置１８を介して枢動方向（図中の矢印Ｂ）に力を印加すると、軸１７を中心に枢動可能である。ここで駆動装置１８は階段状要素１６に強固に接続され、即ち直接結合されている。階段状要素１６は、その上面から見て、排出されるべきカードの副側面に対して力を加えるように設計されたカード接触面１９を提供する階段から作られる。カード接触面１９は階段形状の２つの連続する段の間の橋とみなすことができ、これらの面の高さは公称カード厚さ（約０．８ｍｍ）以下であり、それにより各カード接触面１９は異なるカードに接触する。リセットばね２０は、ボタン１８を放した後のエジェクタアーム１６が、図示された初期（第１）位置に即座かつ自動的に戻ることを保証する。摩擦要素４、例えば粗い繊維様の材料のパッド、例えばフェルトは、ハウジングの副側面にハウジング内で互いに対向して配置され、それぞれの個々のカードの副側面に係合し、重力に抗してカードを保持する。
【００３６】
図３は、ボタン１８とエジェクタアーム１６との間の結合を示しており、エジェクタアームは、カード開口部３と反対側の端部を意味する、底面端部の通路を通って伸長している。あるいは、このような通路は、側方端部または主側面３１に隣接して配置されてもよい。ボタン１８は、底面端部に隣接して示されているが、側方端部または主側面３１に隣接して配置されてもよい。底面端部または側方端部は、主側面３１を橋渡しする副側面である。通路とボタン１８のこれらの位置は従来技術で既知である。
【００３７】
また、図３は、エジェクタアーム１６の前方端部６を示している。前方端部６は、引込状態から伸長状態に向かう方向（矢印Ｂの方向）に面しており、カードの山をホルダの外側に押し出すように設計されている。
【００３８】
カードホルダ１の底部末端を示す図４では、ハウジングは、ハウジング内のエジェクタ要素が見えるように取り外されている。底部から見たエジェクタアーム１６は、その第２の（伸長）位置に枢動され、互い違いのカードの山２（部分的にのみ図示）と係合する。エジェクタアーム１６は、ピボット１７によって、カード開口部３とは反対側のハウジング開口部内に固定的に配置されたエジェクタアーム固定具１０に枢動可能に搭載され、したがって、ハウジングの閉鎖部としての底面端部を提供する。
【００３９】
図５は、カードホルダ１をカード入口３から見た図であり、主側面３１の間に位置するエジェクタアーム１６を側面図で示している。エジェクタアーム１６の高さは、カード接触面１９を提供する階段によって自由端５からピボット１７に向かって階段状に増加する。図５の実施形態では、１０個のカード接触面１９が設けられている。前方端部６は図５の観察者の方に向いている。図５に示す構成要素の相互間隔は明確化のために誇張されている。
【００４０】
図１−５から明らかなように、エジェクタアーム１６の高さは近位端部（枢動点１７に近い端部）から遠位端部（自由端部または遠隔端部）５まで段階的に減少する。エジェクタアーム１６の最大高さは、ハウジングの２つの主側面の間の隙間により画定されるハウジングの高さに等しく、それはハウジング内でしっかりとフィットするカードの山の最大厚さに等しい。エジェクタアーム１６の最大高さは、エジェクタアーム１６の頂部側及び底部側がそれに沿ってそれぞれスライドする、対向するハウジング主側面３１の内面との過度の摩擦なしに、エジェクタアーム１６をハウジング内で移動させることができるように、僅かだけ小さくすることができる。
【００４１】
対向する主側面の壁３１は、相互に平行に延びる滑らかで平坦な内面を有する。
【００４２】
図６および図７は、引込状態（図６）および伸長状態（図７）のエジェクタアームを示しており、またリセットばね２０、ばね２０がエジェクタアーム１６に取り付けられている位置９、および固定具１０によって提供される垂直壁３０を示す。垂直壁３０はエジェクタアーム１６を固定具１０にヒンジ式に取り付けるためのピボットフィーチャ１７を備える。エジェクタアーム１６には１２個のカード接触面１９が設けられている。図６は前方端部６を示し、図７は反対側の後方端部７を示す。
【００４３】
図８は、図４−７のエジェクタアーム１６の上面図を示す。本発明は、図８の領域Ａにおいて実施されている。この領域Ａは図８および図９に詳細に示されている。前方端部６は、ピボット１７から自由端５に向かうエジェクタアームの長手方向において後方端部７に向かって先細る。
【００４４】
図１０は、カードの排出を開始する直前（エジェクタアーム１６は引込位置にあり、カードは相互に整列して完全にハウジング内にある）のエジェクタアーム１６の図９に示された部分と隣接するカードの山の端部の輪郭のみを相互関係で示す図である。図示されているように、エジェクタアーム１６の幅は、Ｃ＋Ｄ（図面の左側）から始まり、そしてエジェクタアームの長手方向に沿って自由端５に向って連続的にＤに減少する。なぜなら、前方端部６は、半径Ｒの円形曲線形状に従うからである。Ｃの値は約０．９ミリメートルである。このことにより、図１０が示すような引込状態において、前方端部６の自由端５に近い部分は、前方端部６の自由端５から遠い部分と比較して、ハウジング１内のカード２の対向する端部からより離れている。従って、エジェクタアーム１６の伸長状態に向かう枢動運動の開始時に、自由端５に隣接するカード接触面１９の係合が遅れ、それにより、エジェクタアーム１６が回転してカードを排出する間に、エジェクタアーム１６の負荷が徐々に増加する。エジェクタアーム１６は領域Ｘにおいてカード２の外側への押し出しを開始し、エジェクタアーム１６の伸長状態への漸進的な枢動により、この領域はＹ方向に漸進的に増加し、それによりエジェクタアーム１６がその伸長状態に向かってストロークの約１５％枢動した後、領域Ｘは自由端５の先端に到達している。これは、エジェクタアーム１６がカード２を押すのを開始する場合、図９の最も左の接触面１９のみがカード２を押し、そしてその後、エジェクタアーム１６の漸進的な回転に起因して、図９において右方向に次のそれぞれの接触面は、カード２を押すプロセスの中で係合し、そして最後に自由端５の先端が係合し、その後、各カード２が専用の接触面１９に係合して押されている間に、エジェクタアーム１６はさらにその伸長状態に向かって回転する、ことを意味する。
【００４５】
エジェクタアーム１６の枢動開始時に、第１のカード接触面１９（図９において最も左）は、山の中のすべてのカード２を同時に押す。続いて、右に次のカード接触面１９が係合するとすぐに、第１のカード接触面１９は単一のカードを押すだけであり（すなわち、第１のカード接触面１９はこの単一のカードの専用の接触面になる）、そして次のカード接触面１９が残りのカードの山を押す。次のカード接触面１９が係合するたびに、前のカード接触面１９が専用のカード接触面１９になり、次のカード接触面１９が残りの山を押し、それは残りの山が単一のカードを含むまで繰り返される。
【００４６】
例えばカードの厚さに依存して、次のカード接触面１９がカードによってスキップまたはジャンプされる可能性があることが理解される。典型的には、エジェクタアーム１６は、カードによってカード接触面１９がスキップまたはジャンプされことを考慮に入れて、カードホルダの設計上の最大カード枚数（典型的には６または７枚のカード）と比較して、より多い、例えば、少なくとも２つ多いカード接触面１９を有する。
【００４７】
本発明は、異なるエジェクタアームにも適用することができる。カード接触面１９の数は、図面に示された数より多くても少なくてもよい。代替の実施形態では、例えばエジェクタアーム１６および／またはボタン１８に蝶番式に結合されたロッドによって、間接的な結合がエジェクタアーム１６とボタン１８との間に適用される。他の多くの代替案が実現可能である。
【００４８】
図面、明細書および特許請求の範囲は、多くのフィーチャの組み合わせを含む。当業者であれば、これらを個別にもまた考慮し、さらなる実施形態に組み合わせることができる。また、異なる実施形態も本発明に属する。本明細書で開示された実施形態におけるものとは異なるフィーチャは、異なる方法で組み合わせることができ、いくつかのフィーチャの異なる態様は、相互に交換可能であるとみなされる。記載され、そして図面で開示された全てのフィーチャは、そのように又は任意の組み合わせにおいて、また請求項またはそれらの照会におけるそれらの配置とは独立して、本願発明の主題を提供する。
【図１−２】
2019519278.tif 000003
【図３−４】
2019519278.tif 000004
【図５】
2019519278.tif 000005
【図６−７】
2019519278.tif 000006
【図８−１０】
2019519278.tif 000007
【国際調査報告】
2019519278.tif 000008
2019519278.tif 000009